(57)【要約】【課題】無線基地局からの距離に応じて、マルチキャスト／ブロードキャストサービスのための無線リソースを効率的に配分できる無線通信システムの提供。【解決手段】無線基地局１は、マルチキャスト／ブロードキャストサービスを提供する第１のセル（Ａ）と、第１のセル（Ａ）と少なくとも一部が重複する第２のセル（Ｂ）と、を有する。無線通信システムは、移動局が第２のセル（Ｂ）のサービス領域に位置するか否かを判定する手段と、前記移動局が第２のセル（Ｂ）のサービス領域に位置する場合（移動局２）に、第２のセル（Ｂ）に対応するマルチキャスト／ブロードキャストサービスの物理チャネルを割り当て、移動局が第２のセル（Ｂ）のサービス領域に位置していない場合（移動局３）に、第１のセル（Ａ）に対応するマルチキャスト／ブロードキャストサービスの物理チャネルを割り当てる手段と、を備える。【選択図】図１
2009177593.tif 000002
【特許請求の範囲】
【請求項１】
無線基地局が、マルチキャスト／ブロードキャストサービスを提供する第１のセルと、前記第１のセルと少なくとも一部が重複する第２のセルと、を有する無線通信システムであって、
移動局が前記第２のセルのサービス領域に位置するか否かを判定する手段と、
前記移動局が前記第２のセルのサービス領域に位置する場合に、前記第２のセルに対応するマルチキャスト／ブロードキャストサービスの物理チャネルを割り当て、前記移動局が前記第２のセルのサービス領域に位置していない場合に、前記第１のセルに対応するマルチキャスト／ブロードキャストサービスの物理チャネルを割り当てる手段と、を備えることを特徴とする無線通信システム。
【請求項２】
前記第２のセルのサービス領域は、前記第１のセルのサービス領域に包含される請求項１に記載の無線通信システム。
【請求項３】
無線基地局から移動局に対する送信電力情報が予め定めた閾値を超えているか否かにより、移動局が前記第２のセルのサービス領域に位置するか否かを判定する請求項１又は２に記載の無線通信システム。
【請求項４】
移動局において観測されたＤＰＣＨ（Ｄｅｄｉｃａｔｅｄ  Ｐｈｙｓｉｃａｌ  Ｃｈａｎｎｅｌ）と、ＣＰＩＣＨ（Ｃｏｍｍｏｎ  Ｐｉｌｏｔ  Ｃｈａｎｎｅｌ）との受信電力比が、予め定めた閾値を超えているか否かにより、移動局が前記第２のセルのサービス領域に位置するか否かを判定する請求項１又は２に記載の無線通信システム。
【請求項５】
前記閾値が、前記第２のセルに対応するマルチキャスト／ブロードキャストサービスの物理チャネルの送信電力に応じて決定される請求項１乃至４いずれか一に記載の無線通信システム。
【請求項６】
前記第１、第２のセルにおけるマルチキャスト／ブロードキャストサービスの状況に応じて、前記第２のセルの半径を変更する機能を備えた請求項５に記載の無線通信システム。
【請求項７】
無線基地局が、マルチキャスト／ブロードキャストサービスを提供する第１のセルと、前記第１のセルと少なくとも一部が重複する第２のセルと、を有する無線通信システムの基地局制御装置であって、
移動局が前記第２のセルのサービス領域に位置するか否かを判定する手段と、
前記移動局が前記第２のセルのサービス領域に位置する場合に、前記第２のセルに対応するマルチキャスト／ブロードキャストサービスの物理チャネルを割り当て、前記移動局が前記第２のセルのサービス領域に位置していない場合に、前記第１のセルに対応するマルチキャスト／ブロードキャストサービスの物理チャネルを割り当てる手段と、を備えることを特徴とする基地局制御装置。
【請求項８】
前記第２のセルのサービス領域は、前記第１のセルのサービス領域に包含される請求項７に記載の基地局制御装置。
【請求項９】
無線基地局から移動局に対する送信電力情報が予め定めた閾値を超えているか否かにより、移動局が前記第２のセルのサービス領域に位置するか否かを判定する請求項７又は８に記載の基地局制御装置。
【請求項１０】
移動局において観測されたＤＰＣＨ（Ｄｅｄｉｃａｔｅｄ  Ｐｈｙｓｉｃａｌ  Ｃｈａｎｎｅｌ）と、ＣＰＩＣＨ（Ｃｏｍｍｏｎ  Ｐｉｌｏｔ  Ｃｈａｎｎｅｌ）との受信電力比が、予め定めた閾値を超えているか否かにより、移動局が前記第２のセルのサービス領域に位置するか否かを判定する請求項７又は８に記載の基地局制御装置。
【請求項１１】
前記閾値が、前記第２のセルに対応するマルチキャスト／ブロードキャストサービスの物理チャネルの送信電力に応じて決定される請求項７乃至１０いずれか一に記載の基地局制御装置。
【請求項１２】
前記第１、第２のセルにおけるマルチキャスト／ブロードキャストサービスの状況に応じて、前記第２のセルの半径を変更する機能を備えた請求項１１に記載の基地局制御装置。
【請求項１３】
ＤＰＣＨ（Ｄｅｄｉｃａｔｅｄ  Ｐｈｙｓｉｃａｌ  Ｃｈａｎｎｅｌ）受信データに含まれる、送信電力制御ビットを検出する手段を備え、
前記送信電力制御ビットの値に基づいて送信電力情報を算出し、請求項９に記載の基地局制御装置に対して送信する無線基地局装置。
【請求項１４】
ＤＰＣＨ（Ｄｅｄｉｃａｔｅｄ  Ｐｈｙｓｉｃａｌ  Ｃｈａｎｎｅｌ）と、ＣＰＩＣＨ（Ｃｏｍｍｏｎ  Ｐｉｌｏｔ  Ｃｈａｎｎｅｌ）との受信電力比を算出する手段を備え、
請求項１０に記載の基地局制御装置に対して前記受信電力比を送信する移動局装置。
【請求項１５】
無線基地局が、マルチキャスト／ブロードキャストサービスを提供する第１のセルと、前記第１のセルと少なくとも一部が重複する第２のセルと、を有する無線通信システムにおける物理チャネルの割り当て方法であって、
前記第２のセルのサービス領域に移動局が位置するか否かを判定し、
前記移動局が前記第２のセルのサービス領域に位置する場合に、前記第２のセルに対応するマルチキャスト／ブロードキャストサービスの物理チャネルを割り当て、前記移動局が前記第２のセルのサービス領域に位置していない場合に、前記第１のセルに対応するマルチキャスト／ブロードキャストサービスの物理チャネルを割り当てること、を特徴とする無線通信システムにおける物理チャネルの割り当て方法。
【発明の詳細な説明】
【技術分野】
【０００１】
本発明は、無線通信システム、基地局制御装置、無線基地局及び該無線通信システムにおける物理チャネルの割り当て方法に関し、特に、３ＧＰＰ（３ｒｄ  Ｇｅｎｅｒａｔｉｏｎ  Ｐａｒｔｎｅｒｓｈｉｐ  Ｐｒｏｊｅｃｔ）で仕様化されているＭｕｌｔｉｍｅｄｉａ  Ｂｒｏａｄｃａｓｔ  Ａｎｄ  Ｍｕｌｔｉｃａｓｔ  Ｓｅｒｖｉｃｅ（以下、「ＭＢＭＳ」とする。）を提供する無線通信システム、基地局制御装置、無線基地局及び該無線通信システムにおける物理チャネルの割り当て方法に関する。
【背景技術】
【０００２】
ＭＢＭＳは、複数の移動局に対し、一つの物理チャネルを共有して、ブロードキャストサービス及びマルチキャストサービスを提供するものである。ブロードキャストやマルチキャストの性質上、無線基地局の遠方に位置する移動局に合わせ、送信するチャネルの電力を決めなければならないため、多くの無線リソースが必要となる。特に今後、大容量のコンテンツやアプリケーションが配信されるようになると、基地局の無線リソースが不足することが予想され、無線リソースの効率な使用方法の確立が急務となっている。
【０００３】
特許文献１には、誤り率が階層的に異なる２つの符号系列を用いてシンボルを送信し、高品質（誤り率が小さい）で情報を受信できる移動局の割合が目標値となるように、移動局からの応答に応じて送信電力を増減させる構成が開示されている。
【０００４】
特許文献２には、セル半径の異なる２つのセルを持つ基地局から、セル半径の大きなセル領域（第１のセル）に基盤データを送信し、内側のセル領域（第２のセル）に向上データを送信し、移動局の位置に応じてデータの受信性能を差別化する構成が提案されている。
【０００５】
特許文献３には、移動端末から基地局への受信信号の到達時間に応じて前記移動端末の無線リソースの割り当てを行う無線リソース割り当てシステムが開示されている。より具体的には、同文献記載の方法では、受信信号の到達時間が短い基地局近傍の移動局に対しては、送信電力の低い無線ゾーンに割り当て、基地局から遠方に位置する移動局に対しては、送信電力の高い無線ゾーンに割り当てる制御を行っている。
【０００６】
特許文献４には、移動局の上り遅延情報に基づいて、セル境界付近に存在する移動局を検出し、該移動局から取得した下り制御チャネル受信レベル情報に基づいて、各基地局装置の下り制御チャネル送信電力を制御する移動通信システムが開示されている。
【０００７】
【特許文献１】特開２００４−２０８１５３号公報
【特許文献２】特表２００５−５２４３３３号公報
【特許文献３】特開２００７−１９４７５５号公報
【特許文献４】特開２００７−１３３５１号公報
【発明の開示】
【発明が解決しようとする課題】
【０００８】
特許文献１、２に記載の方法は、高品質のサービスを受信できない移動局の発生を前提としており、すべての移動局に高品質のサービスを提供できないという問題点がある。特許文献３に記載の方法も、同文献段落００２５に記載のとおり、基地局近傍に位置する移動局を対象として、高品質または高速のデータ転送を実現する構成である。
【０００９】
特許文献４に記載の方法は、従来行われていたセルの電界強度の測定結果に基づくセル設計に代えて、セル境界に位置する移動局から取得した下り制御チャネル受信レベル情報に基づいて、下り制御チャネル送信電力を変更するものであり、セル境界に位置する移動局が基地局から遠ければ、当然に、多くの無線リソースが必要となってしまう。
【００１０】
要するに、無線基地局から遠方に位置する移動局に合わせて送信電力を決定すると、無線リソースが無駄に消費され、無線基地局の近傍に位置する移動局に合わせて送信電力を決定すると、無線リソースを低減できるものの、無線基地局から遠方に位置する移動局に対し安定したサービスを提供することができないという問題点がある。
【００１１】
本発明は、上記した事情に鑑みてなされたものであって、その目的とするところは、基地局の近傍に位置する移動局と、基地局から遠方に位置する移動局とを考慮し、双方への高品質のサービスを提供できる無線通信システム、基地局制御装置、無線基地局及び物理チャネルの割り当て方法を提供することを目的とする。
【課題を解決するための手段】
【００１２】
本発明の第１の視点によれば、無線基地局が、マルチキャスト／ブロードキャストサービスを提供する第１のセルと、前記第１のセルと少なくとも一部が重複する第２のセルと、を有する無線通信システムであって、移動局が前記第２のセルのサービス領域に位置するか否かを判定する手段と、前記移動局が前記第２のセルのサービス領域に位置する場合に、前記第２のセルに対応するマルチキャスト／ブロードキャストサービスの物理チャネルを割り当て、前記移動局が前記第２のセルのサービス領域に位置していない場合に、前記第１のセルに対応するマルチキャスト／ブロードキャストサービスの物理チャネルを割り当てる手段と、を備える無線通信システムが提供される。
【００１３】
本発明の第２の視点によれば、無線基地局が、マルチキャスト／ブロードキャストサービスを提供する第１のセルと、前記第１のセルと少なくとも一部が重複する第２のセルと、を有する無線通信システムの基地局制御装置であって、移動局が前記第２のセルのサービス領域に位置するか否かを判定する手段と、前記移動局が前記第２のセルのサービス領域に位置する場合に、前記第２のセルに対応するマルチキャスト／ブロードキャストサービスの物理チャネルを割り当て、前記移動局が前記第２のセルのサービス領域に位置していない場合に、前記第１のセルに対応するマルチキャスト／ブロードキャストサービスの物理チャネルを割り当てる手段と、を備える基地局制御装置が提供される。
【００１４】
本発明の第３の視点によれば、上記した基地局制御装置に対して、移動局が前記第２のセルのサービス領域に位置するか否かを判定するための情報を送信する無線基地局装置が提供される。
【００１５】
本発明の第４の視点によれば、上記した基地局制御装置に対して、自機が前記第２のセルのサービス領域に位置するか否かを判定するための情報を送信する移動局装置が提供される。
【００１６】
本発明の第４の視点によれば、無線基地局が、マルチキャスト／ブロードキャストサービスを提供する第１のセルと、前記第１のセルと少なくとも一部が重複する第２のセルと、を有する無線通信システムにおける物理チャネルの割り当て方法であって、前記第２のセルのサービス領域に移動局が位置するか否かを判定し、前記移動局が前記第２のセルのサービス領域に位置する場合に、前記第２のセルに対応するマルチキャスト／ブロードキャストサービスの物理チャネルを割り当て、前記移動局が前記第２のセルのサービス領域に位置していない場合に、前記第１のセルに対応するマルチキャスト／ブロードキャストサービスの物理チャネルを割り当てる方法が提供される。
【発明の効果】
【００１７】
本発明によれば、無線基地局の近傍に位置する移動局及び基地局から遠い位置にある移動局に高品質のサービスを提供することが可能となる。その理由は、無線基地局からの距離という観点で、無線基地局の無線リソースを分散し、個々の移動局に割り当てる構成を採用したことにある。
【発明を実施するための最良の形態】
【００１８】
続いて、本発明を実施するための最良の形態について図面を参照して詳細に説明する。
【００１９】
［第１の実施形態］
始めに、無線基地局から送られた情報により移動局に割り当てる物理チャネルを決定する本発明の第１の実施形態について説明する。図１は、本発明の第１の実施形態に係る無線通信システムの概略構成を表した図である。図１を参照すると、セル半径の異なった２種類の物理チャネルをサポートする無線基地局を含んだ無線通信システムの構成が示されている。
【００２０】
無線基地局１は、基地局制御装置４の制御に従い、有線−無線の変換を行い、セル半径が異なる２つのセル５、６に位置する移動局２、３に対し、各セルに対応する無線チャネルを介したブロードキャスト／マルチキャストデータの送受信を行う。
【００２１】
移動局２、３は、無線基地局１から配信されたブロードキャスト／マルチキャストデータによる動画や音声データ等のマルチメディアデータの送受信機能や再生機能を備えた携帯電話端末、ＰＤＡ（Ｐｅｒｓｏｎａｌ  Ｄｉｇｉｔａｌ  Ａｓｓｉｓｔａｎｔ）等の携帯端末である。
【００２２】
基地局制御装置４は、無線基地局１を制御し、移動局２、３に対する個別の無線チャネルの割り当てや、ブロードキャスト／マルチキャストを行う物理チャネルの割り当てやハンドオーバーの制御を行う。基地局制御装置４は、ブロードキャスト／マルチキャストを行う物理チャネルを割り当てるための閾値を保持して、無線基地局１から受信した送信電力情報（Ｐｕｅ）との比較により、割り当てるべき物理チャネルを決定する。
【００２３】
セル（Ａ）５は、セル（Ｂ）６の外側の広範囲のエリアをカバーし、セル（Ｂ）６は、セル（Ａ）５の内側にあり、無線基地局１の近傍のエリアをカバーする。従って、セル（Ｂ）６は、セル（Ａ）５に包含されている。セル（Ａ）５では、第１の物理チャネルによりブロードキャスト／マルチキャストが行われ、セル（Ｂ）６では、第２の物理チャネルによりブロードキャスト／マルチキャストが行われる。なお、以下の説明では、２つの物理チャネルとして、ＭＢＭＳの下りリンク用のＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）を用いるものとして説明するが、物理チャネルの種類を増やすことも可能である。
【００２４】
図２は、本発明の第１の実施形態の無線基地局１の構成例を表したブロック図である。図２を参照すると、アンテナ１００と、無線受信部１０１と、逆拡散部１０２と、ＴＰＣ  ｂｉｔ検出部１０３と、下り送信電力算出部１０４と、拡散変調部１０５と、無線送信部１０６と、を備えた無線基地局１が示されている。
【００２５】
アンテナ１００は、移動局２、３と高周波信号の送受信を行う。
【００２６】
無線受信部１０１は、アンテナ１００より受信された高周波信号を中間周波数信号へ周波数変換し、また、Ａ／Ｄ（Ａｎａｌｏｇ  ｔｏ  Ｄｉｇｉｔａｌ）変換により受信信号をデジタル信号に変換する。
【００２７】
逆拡散部１０２は、無線受信部１０１からのデジタル信号の逆拡散及びＲａｋｅ合成を行う。
【００２８】
ＴＰＣ  ｂｉｔ検出部１０３は、Ｒａｋｅ合成後のＤＰＣＨ（Ｄｅｄｉｃａｔｅｄ  Ｐｈｙｓｉｃａｌ  Ｃｈａｎｎｅｌ）の受信データから、ＴＰＣ（Ｔｒａｎｓｍｉｔ  Ｐｏｗｅｒ  Ｃｏｎｔｒｏｌ）  ｂｉｔを検出する。ここで、ＴＰＣ（Ｔｒａｎｓｍｉｔ  Ｐｏｗｅｒ  Ｃｏｎｔｒｏｌ）  ｂｉｔは、移動局２、３から送信される下り送信電力の増減制御情報である。
【００２９】
下り送信電力算出部１０４は、ＴＰＣ  ｂｉｔの情報に基づいて、移動局２や移動局３に送信する高周波信号の電力を増減制御するための送信電力を算出し、拡散変調部１０５に送信電力情報を出力する。また、下り送信電力算出部１０４は、基地局制御装置４に対して各移動局２、３の送信電力情報（Ｐｕｅ）を通知する。
【００３０】
拡散変調部１０５は、符号化された移動局２、３へのベースバンド信号を下り送信電力算出部１０４の送信電力情報にもとづき、拡散及び変調処理を行い、無線送信部１０６へ出力する。
【００３１】
無線送信部１０６は、拡散変調された信号を高周波信号に変換し、アンテナ１００を介して、移動局２、３に送信する。
【００３２】
以上、無線基地局１の構成を述べたが、その他の無線基地局の構成は、当業者にとってよく知られているものを採用することができるので、説明は省略する。
【００３３】
続いて、上記無線基地局１の下り送信電力算出部１０４より通知された送信電力情報（Ｐｕｅ）に基づいて動作する本実施形態の基地局制御装置４の動作について説明する。
【００３４】
図３は、本発明の第１の実施形態の基地局制御装置の動作を表したフローチャートである。図３を参照すると、無線基地局１から送信電力情報（Ｐｕｅ）が基地局制御装置４に与えられると（ステップＳ１）、基地局制御装置４は、まず、当該移動局の送信電力情報（Ｐｕｅ）と、第１の閾値とを比較する（ステップＳ２）。この第１の閾値としては、セル半径の大きいセル（Ａ）５のＳＣＣＰＣＨの送信電力情報（Ｐｍａ）を用いることができる。
【００３５】
前記比較の結果、移動局の送信電力情報（Ｐｕｅ）が第１の閾値（Ｐｍａ）よりも大きい場合、基地局制御装置４は、当該移動局が物理チャネルを割り当てできない位置（サービス領域外）にある（移動局が発した送信電力情報（Ｐｕｅ）よりも電力の低い物理チャネルのデータを当該移動局が受信することはできない。）と判断し、上位装置や移動局に対して、マルチキャスト／ブロードキャストの物理チャネル（ＳＣＣＰＣＨ）の割り当てができないことを通知する（ステップＳ３）。
【００３６】
移動局の送信電力情報（Ｐｕｅ）がＳＣＣＰＣＨの送信電力情報（Ｐｍａ）以下である場合、基地局制御装置４は、前記移動局の送信電力情報（Ｐｕｅ）と、第２の閾値とを比較する（ステップＳ４）。この第２の閾値としては、セル半径の小さいセル（Ｂ）６のＳＣＣＰＣＨの送信電力情報（Ｐｍｂ）を用いることができる。
【００３７】
前記比較の結果、移動局の送信電力情報（Ｐｕｅ）が、第２の閾値（Ｐｍｂ）よりも大きい場合、基地局制御装置４は、当該移動局が大きいセル（Ａ）５固有のサービス領域に位置する（移動局が発した送信電力情報（Ｐｕｅ）よりも電力の低い物理チャネルのデータを当該移動局が受信することはできない。）と判断し、セル（Ａ）５に対応する物理チャネル（ＳＣＣＰＣＨ）を移動局に割り当てる（ステップＳ５）。
【００３８】
また反対に、移動局の送信電力情報（Ｐｕｅ）が、第２の閾値（Ｐｍｂ）以下である場合、基地局制御装置４は、当該移動局が小さいセル（Ｂ）６のサービス領域に位置すると判断し、セル（Ｂ）の６に対応する物理チャネル（ＳＣＣＰＣＨ）を移動局に割り当てる（ステップＳ６）。
【００３９】
以上のとおり、基地局制御装置４は、送信電力情報（Ｐｕｅ）と第１、第２の閾値の比較を行い、移動局に割り当てるべき物理チャネル（セル）を判断する。このように、本実施形態では、無線基地局１の近傍に位置する移動局と、遠方に位置する移動局に対し、それぞれ異なった物理チャネルを割り当て、それぞれ高品質のサービスを提供することができる。また上記により、無線基地局１の管理下の無線リソースを分散し、輻輳を防止することも可能となっている。
【００４０】
更に、本実施形態では、セル設計時に、特定のマルチキャスト／ブロードキャストの物理チャネルの送信電力（図１のセル（Ｂ）の送信電力）を抑えることができるため、送信電力を抑えた分の電力、すなわち、無線リソースを他のリソースに割り当てることが可能となるため、無線リソースの有効に活用することができる。
【００４１】
［第２の実施形態］
続いて、無線基地局からＤＰＣＨの送信電力情報を通知するのではなく、移動局から送られた情報により当該移動局に割り当てる物理チャネルを決定する本発明の第２の実施形態について説明する。
【００４２】
本発明の第２の実施形態の基本的構成は、図１に示した第１の実施形態の構成と同様であるので、以下、移動局について詳細に説明する。
【００４３】
図４は、本発明の第２の実施形態における移動局２（移動局３も同様。）の構成例を表したブロック図である。図４を参照すると、アンテナ２００と、無線受信部２０１と、ＣＰＩＣＨ（Ｃｏｍｍｏｎ  Ｐｉｌｏｔ  Ｃｈａｎｎｅｌ）逆拡散部２０２と、ＤＰＣＨ逆拡散部２０３と、ＣＰＩＣＨ電力測定部２０４と、ＤＰＣＨ電力測定部２０５と、ＣＰＩＣＨ−ＤＰＣＨ受信電力比算出部２０６と、ＣＰＵ（Ｃｅｎｔｒａｌ  Ｐｒｏｃｅｓｓｉｎｇ  Ｕｎｉｔ）２０７と、符号化部２０８と、拡散変調部２０９と、無線送信部２１０と、を備えた移動局２が示されている。
【００４４】
アンテナ２００は、無線基地局１と高周波信号の送受信を行う。
【００４５】
無線受信部２０１は、アンテナ２００より受信された高周波信号を中間周波数信号へ周波数変換し、また、Ａ／Ｄ（Ａｎａｌｏｇ  ｔｏ  Ｄｉｇｉｔａｌ）変換により受信信号をデジタル信号に変換する。
【００４６】
ＣＰＩＣＨ逆拡散部２０２、ＤＰＣＨ逆拡散部２０３は、それぞれ無線受信部２０１からのデジタル信号の逆拡散及びＲａｋｅ合成を行う。
【００４７】
ＣＰＩＣＨ電力測定部２０４、ＤＰＣＨ電力測定部２０５は、それぞれ受信した各物理チャネルの受信電力の測定を行う。
【００４８】
ＣＰＩＣＨ−ＤＰＣＨ受信電力比算出部２０６は、ＣＰＩＣＨ電力測定部２０４、ＤＰＣＨ電力測定部２０５で測定した受信電力情報を基に、ＣＰＩＣＨとＤＰＣＨの受信電力の比（Ｐｄ）を算出する。
【００４９】
ＣＰＵ２０７は、ＣＰＩＣＨ−ＤＰＣＨ受信電力比（Ｐｄ）を上り個別チャネルを用いて、基地局制御装置４に通知するために、ＣＰＩＣＨ−ＤＰＣＨ受信電力比（Ｐｄ）を符号化部２０８へ出力する。
【００５０】
符号化部２０８は、ＣＰＵ２０７より出力された送信データ（ＣＰＩＣＨ−ＤＰＣＨ受信電力比（Ｐｄ））の符号化を行う。
【００５１】
拡散変調部２０９は、符号化部２０８により符号化された信号を拡散及び変調処理を行い無線送信部２１０へ出力する。
【００５２】
無線送信部２１０は、拡散変調された信号を高周波信号に変換し、アンテナ２００を介して、無線基地局１へ送信する。送信されたＣＰＩＣＨ−ＤＰＣＨ受信電力比（Ｐｄ）は、無線基地局１を介して、基地局制御装置４に通知される。
【００５３】
以上、移動局２の構成を述べたが、その他の移動局３及び無線基地局１の構成は、当業者にとってよく知られているものを採用することができるので、説明は省略する。
【００５４】
続いて、上記移動局２より通知されたＣＰＩＣＨ−ＤＰＣＨ受信電力比（Ｐｄ）に基づいて動作する本実施形態の基地局制御装置４の動作について説明する。
【００５５】
図５は、本発明の第２の実施形態の基地局制御装置の動作を表したフローチャートである。図５を参照すると、基地局制御装置４は、ＣＰＩＣＨ−ＤＰＣＨ受信電力比（Ｐｄ）を受信すると（ステップＳ１０１）、まず、当該移動局のＣＰＩＣＨ−ＤＰＣＨ受信電力比（Ｐｄ）と、第３の閾値とを比較する（ステップＳ１０２）。この第３の閾値としては、セル半径の大きいセル（Ａ）５のＣＰＩＣＨ−ＳＣＣＰＣＨ送信電力比（Ｐｃａ）を用いることができる。
【００５６】
前記比較の結果、移動局のＣＰＩＣＨ−ＤＰＣＨ受信電力比（Ｐｄ）が第３の閾値（Ｐｃａ）よりも小さい場合、基地局制御装置４は、当該移動局が物理チャネルを割り当てできない位置にある（ＣＰＩＣＨの電力を基準とすると、ＤＰＣＨの電力よりも低い電力で送信されるＳＣＣＰＣＨを受信することはできない。）と判断し、上位装置や移動局に対して、マルチキャスト／ブロードキャストの物理チャネル（ＳＣＣＰＣＨ）の割り当てができないことを通知する（ステップＳ１０３）。
【００５７】
移動局のＣＰＩＣＨ−ＤＰＣＨ受信電力比（Ｐｄ）が、第３の閾値（Ｐｃａ）以上である場合、基地局制御装置４は、前記移動局のＣＰＩＣＨ−ＤＰＣＨ受信電力比（Ｐｄ）と、第４の閾値とを比較する（ステップＳ１０４）。この第４の閾値としては、セル半径の小さいセル（Ｂ）６のＣＰＩＣＨ−ＳＣＣＰＣＨ送信電力比（Ｐｃｂ）を用いることができる。
【００５８】
前記比較の結果、移動局のＣＰＩＣＨ−ＤＰＣＨ受信電力比（Ｐｄ）が、第４の閾値（Ｐｃｂ）よりも小さい場合、基地局制御装置４は、当該移動局が大きいセル（Ａ）５固有のサービス領域に位置する（当該移動局は、ＤＰＣＨの電力よりも電力の低いセル（Ｂ）６のＳＣＣＰＣＨを受信することはできない。）と判断し、セル（Ａ）５に対応する物理チャネル（ＳＣＣＰＣＨ）を移動局に割り当てる（ステップＳ１０５）。
【００５９】
また反対に、移動局のＣＰＩＣＨ−ＤＰＣＨ受信電力比（Ｐｄ）が、第４の閾値（Ｐｃｂ）以上である場合、基地局制御装置４は、当該移動局が小さいセル（Ｂ）６のサービス領域に位置すると判断し、セル（Ｂ）６に対応する物理チャネル（ＳＣＣＰＣＨ）を移動局に割り当てる（ステップＳ１０６）。
【００６０】
以上のとおり、基地局制御装置４は、移動局のＣＰＩＣＨ−ＤＰＣＨ受信電力比（Ｐｄ）と第３、第４の閾値の比較を行い、移動局に割り当てるべき物理チャネル（セル）を判断する。このように、本実施形態においても、無線基地局１の近傍に位置する移動局と、遠方に位置する移動局に対し、それぞれ異なった物理チャネルを割り当て、それぞれ高品質のサービスを提供することができる。
【００６１】
更に、本実施形態では、第１の実施形態で述べた無線基地局１を用いることなく、移動局と無線基地局１との距離を把握可能としたため、無線基地局１を変更せずに実現することができる。
【００６２】
以上、本発明の好適な実施形態を説明したが、本発明は、上記した実施形態に限定されるものではなく、本発明の基本的技術的思想を逸脱しない範囲で、更なる変形・置換・調整を加えることができる。
【００６３】
例えば、上記した各実施形態では、第１〜第４の閾値として、各セルのＳＣＣＰＣＨの送信電力情報やＣＰＩＣＨ−ＳＣＣＰＣＨ送信電力比を用いるものとして説明したが、これらを適宜補正して使用することも可能である。もちろん、一つの無線基地局が移動局の距離によって使い分けるセルの数は３以上であってもよく、その場合、当該セル毎に適切な閾値が設定される。
【００６４】
また、上記した各実施形態におけるセルの半径は任意に変更することができ、無線リソースを効率的に使用するような柔軟なセル設計を実現することができる。例えば、コンサートやイベント会場等の人が集中するような場所に、ＭＢＭＳをサポートする小型（小半径）のセルを設けることが考えられる。この場合、当該小型（小半径）のセルにおける無線リソースの使用状況が、外側のセルに与える影響は限定される。
【００６５】
また、上記した各実施形態において、基地局制御装置が、無線リソースの使用状況に応じて、外側のセルと内側のセルの境界を変更するよう無線基地局を制御することも可能である。
【図面の簡単な説明】
【００６６】
【図１】本発明の第１の実施形態に係る無線通信システムの概略構成を表した図である。
【図２】本発明の第１の実施形態の無線基地局の構成例を表したブロック図である。
【図３】本発明の第１の実施形態の基地局制御装置の動作を表したフローチャートである。
【図４】本発明の第２の実施形態の移動局の構成例を表したブロック図である。
【図５】本発明の第２の実施形態の基地局制御装置の動作を表したフローチャートである。
【符号の説明】
【００６７】
１  無線基地局
２、３  移動局
４  基地局制御装置
５  セル（Ａ）
６  セル（Ｂ）
１００  アンテナ
１０１  無線受信部
１０２  逆拡散部
１０３  ＴＰＣ  ｂｉｔ検出部
１０４  下り送信電力算出部
１０５  拡散変調部
１０６  無線送信部
２００  アンテナ
２０１  無線受信部
２０２  ＣＰＩＣＨ逆拡散部
２０３  ＤＰＣＨ逆拡散部
２０４  ＣＰＩＣＨ電力測定部
２０５  ＤＰＣＨ電力測定部
２０６  ＣＰＩＣＨ−ＤＰＣＨ受信電力比算出部
２０７  ＣＰＵ
２０８  符号化部
２０９  拡散変調部
２１０  無線送信部
【図１】
2009177593.tif 000003
【図２】
2009177593.tif 000004
【図３】
2009177593.tif 000005
【図４】
2009177593.tif 000006
【図５】
2009177593.tif 000007